(57)【特許請求の範囲】
【請求項１】
上下ケースよりなるカートリッジケース内にテープを巻回した一対のハブを回転可能に支持し、該上下ケースの前部には架張されるテープ部分を覆う開閉自在の前蓋を設け、前記カートリッジ内部には、両ハブに設けられた歯部に係脱する一対のブレーキ爪を有するハブブレーキが上ケースの内面に沿って配置され、弾性部材によりハブ側に付勢されているテープカートリッジにおいて、前記ハブブレーキは、前記ブレーキ爪を有する主面板部と、主面板部の左右端部から下方に向かって設けられる連結板部と、連結板部より前方へ延びるアーム部と、前記前蓋の開放時に前記アーム部を前方に押す手段に係合する部分とを有し、両連結板部の後部内面の前記テープに面した部分には凹部が形成されていることを特徴とするテープカートリッジ。
【請求項２】
両連結板部の後部内面の前記テープに面した部分に形成される前記凹部は、後方外方へ向けてテーパする面取り部であることを特徴とする、請求項１のテープカートリッジ。
【発明の詳細な説明】
【０００１】
【発明の属する技術分野】
本発明はＤＤＳ、ＤＡＴ等のデジタル記録用テープカートリッジ、その他のテープカートリッジに関し、特にテープを巻回したハブのためのブレーキを有する型のテープカートリッジに関する。
【０００２】
【従来の技術】
従来、上下ケースよりなるカートリッジ内に、テープを巻装した一対のハブを回転可能に支持し、下ケースにはハブを駆動するために装置側の駆動軸が挿入される孔を一対設け、前記孔を摺動自在に覆うスライダーを下ケースの外面に沿わせて設け、カートリッジ内部にはハブに設けた歯部に係脱するブレーキ爪を有するハブブレーキを摺動自在に設けたものが使用されている。ハブブレーキはテープの上下ケース前面に引き出される部分を覆う開閉自在の前蓋を開放する操作と連動して摺動されることによりハブブレーキの爪部の解除を行うようになっている。
【０００３】
例えば実公平２−４９０３１号には、本願図面の図５のように上ケース１と下ケース２よりなるカートリッジ内に、テープ４を巻装した一対のハブ３を回転可能に支持し、下ケース２にはハブ３を駆動するために装置側の駆動軸が挿入される孔を一対設け、前記孔を摺動自在に覆うスライダー７を下ケース２の外面に沿わせて設け、カートリッジ内部にはハブ３に設けた歯部３１に係脱するブレーキ爪８１を有するハブブレーキ８を上ケース１の内面に沿わせて摺動自在に設け、ハブブレーキ８はテープ４の上下ケース前面に引き出される部分を覆う開閉自在の前蓋１０を開放する操作と連動して摺動されることにより、ばね９に抗してハブブレーキ８の爪部８１の解除を行うようになっている。
ハブブレーキ８は両端部が直角に折り曲げられて上下ケース１、２の内面の両側面に沿って摺動するようになっている。
【０００４】
【発明が解決しようとする課題】
上記形式のテープカートリッジは音楽用、データ記憶用に使用されているが、近年データ記憶用として記憶容量の更に大きいものが求められ、テープ厚みを薄くしたり、テープの巻径を大きくすることにより対応している。
カートリッジを使用する場合には、カートリッジの前面に露出するテープを引き出すのであるが、テープの巻径が大きくなると、このテープ引出時にテープがハブブレーキ内面と摺接してテープが傷ついてしまうことがある。
【０００５】
この点を詳しく説明するに、図５においてハブブレーキ８は上下ケースの内面に沿って前後に移動する左右一対の連結板部８３を具備し、連結板部８３はアーム部を介して前端に突起部８５を有し、この突起部８５を前蓋１０の開閉につれ前蓋の一部で押すことによりハブブレーキ８を操作するようになっているので、テープ４を前部に引き出す際にハブブレーキ８の連結板部８３の一部にテープが接触することがありそのために傷が付いてしまう。
【０００６】
【課題を解決するための手段】
本発明は、上記の問題を次のように解決する。すなわち本発明のテープカートリッジは、上下ケースよりなるカートリッジケース内にテープを巻回した一対のハブを回転可能に支持し、該上下ケースの前部には架張されるテープ部分を覆う開閉自在の前蓋を設け、前記カートリッジ内部には、両ハブに設けられた歯部に係脱する一対のブレーキ爪を有するハブブレーキが上ケースの内面に沿って配置され、弾性部材によりハブ側に付勢されているテープカートリッジの改良であって、前記ハブブレーキを、前記ブレーキ爪を有する主面板部と、主面板部の左右端部から下方に向かって設けられる連結板部と、連結板部より前方へ延びるアーム部と、前記前蓋の開放時に前記アーム部を前方に押す手段に係合する部分とで構成し、さらに両連結板部の後部内面の前記テープに面した部分には凹部を形成したことを特徴とする。
ここに、両連結板部の後部内面の前記テープに面した部分に形成される前記凹部は、後方外方へ向けてテーパする面取り部であることが好ましいが、段差部であっても良い。
【０００７】
【発明の実施の形態】
以下図１〜４に示した実施例を参照して本発明を詳しく説明する。
図１は本発明のテープカートリッジの全体的な分解斜視図であり、図２〜４は本発明の要部を説明する図である。なお図２及び４は見やすくするために潤滑シート５を省略してある。
【０００８】
図１に示すように、本発明のテープカートリッジでは、上ケース１と下ケース２よりなるカートリッジ内に、テープ４を巻装した一対のハブ３が回転可能に支持され、その上下には潤滑シート５、６が配置され、下ケース２にはハブ３、３を駆動するために装置側の駆動軸が挿入される一対の孔２１が設けられ、前記孔２１を摺動自在に覆うスライダー７が下ケース２の外面に沿わせて設けてあり、またスライダー７にはそれが後方の開放位置にスライドしたときに孔２１と整列して駆動軸の挿入を許容する一対の孔７１を有する。カートリッジ内部には両ハブ３に設けられた歯部３１に係脱する一対のブレーキ爪８１を有するハブブレーキ８が上ケース１の内面と潤滑シート５との間に配置され、ばね９によりハブ側に付勢されている。これによりハブの回転を防止している。
テープ４はケース前面側の開口２２、２２の間をテープガイド２３、２３によって架張されていて、カートリッジ不使用時にはこのケース外方に露出するテープ４を前蓋１０とスライダー７で覆うような仕組みとなっている。
【０００９】
カートリッジ使用時には、装置側の手段により初めにスライダー７が後退し、テープローディングエリア２４（図２）を露出する。続いて前蓋１０が開く。このときに前蓋１０の側片１１（図１）がハブブレーキ８のアーム部８４（図３）先端の突起部８５に当接し、ハブブレーキ８を前方へ移動させる。これにより、ブレーキ爪８１が歯部３１から外れてハブ３が回転可能となる。
さらに装置のテープ引き出しピンＰ（図２）がテープローディングエリア２４に入り込んでテープ３を所定位置に引き出す。
【００１０】
図３（ａ）、（ｂ）に示すように、本発明に従って、ハブブレーキ８は、主面板部８２、主面板部８２より後方ハブ側に延びる一対のブレーキ爪部８１、主面板部８２の左右端部から下方に向かって延びる連結板部８３、連結板部８３より前方へ延びるアーム部８４、及びそのアーム部８４の先端部に設けられた突起部８５より構成され、また主面板８２の中央部にはばね９のためのばね掛け部８６が設けられる。両連結板部８３の後部内面のテープ４に対面する位置には、図３（ｂ）のように後方外方へ向けてテーパする面取り部８７が形成されている。なお、この例では面取り部としたが、この部分が凹部となっていれば良いので例えば段差部としても良い。
【００１１】
【発明の効果】
以上の構成を有するので、本発明のテープカートリッジは、その使用時にテープを図２、３に示すようにテープ４を一対のピンＰにより前面に引き出す際に、テープ巻径が大きい場合にはテープ４はハブブレーキ８の連結板部８３に接近するが、面取り部８７を代表とする凹部を設けたために連結板部８３とテープ４との接触が回避でき、またこの部分を面取り部８７とすることで何らかの事情でテープが連結板部８３に接触してもにテープに傷が付くおそれがなくなる。
【図面の簡単な説明】
【図１】本発明のテープカートリッジの分解斜視図である。
【図２】本発明のテープカートリッジの上ケースと潤滑シートを省略した平面図である。
【図３】（ａ）は本発明のハブブレーキの斜視図であり、（ｂ）は同底面斜視図である。
【図４】本発明のテープカートリッジの上ケースと潤滑シートを省略した要部拡大平面図である。
【図５】従来のテープカートリッジの斜視図である。
【符号の説明】
１  上ケース
２  下ケース
２１  孔
２２  開口
２３  テープガイド
２４  テープローディングエリア
３  テープハブ
３１  歯部
４  テープ
５、６  潤滑シート
７  スライダー
７１  孔
８  ハブブレーキ
８１  ブレーキ爪
８２  主面板部
８３  連結板部
８４  アーム部
８５  突起部
８６  ばね掛け部
８７  面取り部
９  ばね
１０  前蓋
１１  前蓋の側片
【図１】
0004050837.tif 000002
【図２】
0004050837.tif 000003
【図３】
0004050837.tif 000004
【図４】
0004050837.tif 000005
【図５】
0004050837.tif 000006